(57)【要約】【課題】リボンその他の互換可能な複数の装飾品を組み合わせてなるスカートその他の衣料品であって、使用に際し、それら装飾品の中から選んだ装飾品を衣料品に確実にかつ取り外し可能に取り付けられるようにした組み合わせ衣料品の提供。【解決手段】衣料品Ａにはその表面側に第１のスナップ係合手段Ｃ１が固着されている一方、各装飾品Ｂ１、Ｂ２にはその裏面側に前記衣料品の表面側に固着された前記第１のスナップ係合手段Ｃ１とスナップ係合し得る第２のスナップ係合手段Ｃ２が固着されており、使用に際し、前記装飾品の中から適宜選んだ装飾品を、その裏面側にに固着された前記第２のスナップ係合手段を前記衣料品の表面側に固着された前記第１のスナップ係合手段に押圧係止させることにより、前記衣料品に確実にかつ取り外し可能に取り付けられるようにする。。【選択図】図３
0003117244.tif 000002
【実用新案登録請求の範囲】
【請求項１】
蝶結び目を有するリボンその他各種の外形を有する複数の互換可能な装飾品を組み合わせてなるスカート、ズボンその他の衣料品であって、前記衣料品にはその表面側に第１のスナップ係合手段が固着されている一方、各装飾品にはその裏面側に前記衣料品の表面側に固着された前記第１のスナップ係合手段とスナップ係合し得る第２のスナップ係合手段が固着されており、使用に際し、前記装飾品の中から適宜選んだ装飾品を、その裏面側にに固着された前記第２のスナップ係合手段を前記衣料品の表面側に固着された前記第１のスナップ係合手段に押圧係止させることにより、前記衣料品に確実にかつ取り外し可能に取り付けられるようにしたことを特徴とする組み合わせ衣料品。
【請求項２】
請求項１に記載の組み合わせ衣料品において、前記第１のスナップ係合手段は、中央部に円形の挿し込み穴を有する雌型スナップ部材からなっており、前記第２のスナップ係合手段は、前記挿し込み穴にスナップ係合し得る膨大頭部を備えた係合突起を有する雄型スナップ部材からなっていることを特徴とする組み合わせ衣料品。
【請求項３】
請求項１に記載の組み合わせ衣料品において、前記第１のスナップ係合手段は、中央部に四角形の挿しこみ穴を有する雌型スナップ部材からなっており、前記第２のスナップ係合手段は、前記挿し込み穴と回転不能にスナップ係合し得る断面四角形の係合突起を有する雄型スナップ部材からなっていることを特徴とする組み合わせ衣料品。
【請求項４】
請求項１に記載の組み合わせ衣料品において、各装飾品が容易に洗濯することが不可能な材料を含む各種の材料の中から選ばれた適当な材料で作られていることを特徴とする組み合わせ衣料品。
【考案の詳細な説明】
【技術分野】
【０００１】
本考案は、衣料品に係り、殊に、使用時にそれに組み合わせた装飾品を取り付けて使用する衣料品に関するものである。
以下、この明細書において使用する「衣料品」なる語は、スカート、ズボン、ショーツ、ワン・ピース、ジャンパー、セーター、ブラウス、トレーナー、ティーシャツ、ブラジャー、キャミソール、ポーチ、マフラー、帽子、手袋、靴下及びこれらの類似品からなる物品群に属する物品を意味するものとする。
【背景技術】
【０００２】
蝶結びしたリボンその他の装飾品を縫い付け等によって容易に取り外せないように固定した衣服類ないし衣料品は百貨店や衣料品店で市販されており、広く知られている。この種の衣料品にあっては、一般にその全体の外観をより美しくしてその商品価値を高めるべく装飾品には衣料品の色とは異なった色彩が施されている。
【考案の開示】
【考案が解決しようとする課題】
【０００３】
装飾品を縫い付け等によって容易に取り外せないように固定した衣料品にあっては、次に述べるような不都合ないし欠点がある。
先ず、第１に、使用者が装飾品に飽きてきたような場合でも、当該装飾品を他のものと交換してデザインの変化やおしゃれを楽しむことができない。従って、他の装飾品を所望の場合は、その装飾品がついている衣料品自体を購入しなければならなくなり、出費が嵩むことになる。第２に、当該衣料品が汚れた場合には、洗濯しなければならないが、その場合、装飾品はこれと一緒に洗濯ができる品質のものでなくてはならない。したがって、洗濯可能な装飾品を作るためには、その製作に用いる材料の種類が必然的に限定されてしまい、装飾品の設計の自由度を阻害することになる。第３に、装飾品が洗濯可能な品質のものであっても、洗濯の反復によって色があせてしまったり、型くずれを起こしたりして、その美観を喪失してしまう場合が少なくない。
【０００４】
本考案は、装飾品を縫い付け等によって容易に取り外せないように固定した衣料品の有する上記の如き問題点に鑑みてなされたものであって、その主たる目的は、互換可能な複数の装飾品を組み合わせてなる衣料品であって、使用に際し、該装飾品の中から選んだ装飾品を該衣料品に確実にかつ取り外し可能に取り付けられるようにするとともに、随時、手軽に装飾品を付け替えてデザインの変化やおしゃれを楽しむことができるようにした組み合わせ衣料品を提供しようとするものである。
また、本考案の他の目的は、各装飾品を容易に洗濯することが不可能な材料を含む各種の材料の中から選んだ適当な材料で作ることができ、その設計の自由度を増大させることが可能となるとともに、組み合わせた装飾品の新鮮さや美観を長期間に亘って維持させることが可能となる上記組み合わせ衣料品を提供しようとするものである。
【課題を解決するための手段】
【０００５】
上記目的を達成するために、請求項１の考案に係る組み合わせ衣料品は、蝶結び目を有するリボンその他各種の外形を有する複数の互換可能な装飾品を組み合わせてなるスカート、ズボンその他の衣料品であって、前記衣料品にはその表面側に第１のスナップ係合手段が固着されている一方、各装飾品にはその裏面側に前記衣料品の表面側に固着された前記第１のスナップ係合手段とスナップ係合し得る第２のスナップ係合手段が固着されており、使用に際し、前記装飾品の中から適宜選んだ装飾品を、その裏面側にに固着された前記第２のスナップ係合手段を前記衣料品の表面側に固着された前記第１のスナップ係合手段に押圧係止させることにより、前記衣料品に確実にかつ取り外し可能に取り付けられるようにしたことを特徴とする。
また、請求項２の考案に係る組み合わせ衣料品は、請求項１に記載の組み合わせ衣料品において、前記第１のスナップ係合手段は、中央部に円形の挿し込み穴を有する雌型スナップ部材からなっており、前記第２のスナップ係合手段は、前記挿し込み穴にスナップ係合し得る膨大頭部を備えた係合突起を有する雄型スナップ部材からなっていることを特徴とするものである。
さらにまた、請求項３の考案に係る組み合わせ衣料品は、請求項１に記載の組み合わせ衣料品において、前記第１のスナップ係合手段は、中央部に四角形の挿しこみ穴を有する雌型スナップ部材からなっており、前記第２のスナップ係合手段は、前記挿し込み穴と回転不能にスナップ係合し得る断面四角形の係合突起を有する雄型スナップ部材からなっていることを特徴とするものである。
そしてまた、請求項４の考案に係る組み合わせ衣料品は、請求項１に記載の組み合わせ衣料品において、各装飾品が容易に洗濯することが不可能な材料を含む各種の材料の中から選ばれた適当な材料で作られていることを特徴とするものである。
【考案の効果】
【０００６】
本考案は、上述の如く構成されているので、これによれば、使用に際し、互換可能な複数の装飾品の中から選んだ装飾品を衣料品に確実にかつ取り外し可能に取り付けられるとともに、随時、手軽に装飾品を付け替えてデザインの変化やおしゃれを楽しむことができる組み合わせ衣料品を得ることができる。
また、本考案によれば、各装飾品は、衣料品に取り外し可能に取り付けられるようになっているので、衣料品を洗濯する場合には、装飾品を取り外して衣料品のみを洗濯することができるため、容易に洗濯することが不可能な材料を含む各種の材料の中から選ばれた適当な材料で作ることができ、その設計の自由度を増大させることが可能となるとともに、組み合わせた装飾品の新鮮さや美観を長期間に亘って維持させることが可能となる。
【考案を実施するための最良の形態】
【０００７】
以下、本考案の実施の形態につき、その実施例を示した図面を参照しながら詳細に説明する。
【実施例１】
【０００８】
図１〜５は、本考案の一実施例を示したもので、図中、Ａは衣料品である少女用のワン・ピース、Ｂ１及びＢ２は互換可能な装飾品である蝶結び目を有するリボン及び生花状の造花片、Ｃ１は第１のスナップ係合手段、Ｃ２は第２のスナップ係合手段である。
【０００９】
この実施例にあっては、第１のスナップ係合手段Ｃ１は、図１及び３に示されているように、中央部に円形の挿し込み穴１０を有する雌型スナップ部材からなっていて、ワン・ピースＡの表面側に固着されており、第２のスナップ係合手段Ｃ２は、図３に示されているように、中央部に前記挿し込み穴１０とスナップ係合し得る膨大頭部を備えた係合突起１１を有する雄型スナップ部材からなっていて、前記装飾品Ｂ１、Ｂ２の裏面側に当て布１２を介して固着されている。雌型スナップ部材Ｃ１及び雄型スナップ部材Ｃ２は縫い付け又は接着により若しくは両者の併用によって衣料品Ａ及び装飾品Ｂ１、Ｂ２に固着することができる。符号１３は雌型スナップ部材Ｃ１が固着されるワン・ピースＡの生地の表面側部位に対応する裏面側部位に固着された生地の部分的補強用の裏張り布であるが、これは必ずしも常に必要とするものではなく、生地が薄くて物理的強度が弱く、早期摩耗のおそれがある場合等にその補強のために使用されるものである。
【００１０】
装飾品であるリボンＢ１又は造花片Ｂ２を衣料品であるワン・ピースＡに取り付ける場合には、前記第２のスナップ係合手段Ｃ２を前記第１のスナップ係合手段Ｃ１に押圧係止させることにより、確実にかつ取り外し可能に取り付けることができる。
また、この実施例においては、図１に示すように、ワン・ピースＡの胴部前面に左右一対の雌型スナップ部材Ｃ１が固着されており、これに対応して、ワン・ピースＡには２個のリボンＢ１又は造花片Ｂ２が着脱自在に取り付けられるようになっている。図４はワン・ピースＡに２個のリボンＢ１を取り付けた状態を示し、図５はこの２個のリボンに代えて２個の造花片Ｂ２を取り付けた状態を示すものである。従って、使用者は随時手軽に装飾品を取り替えてデザインの変化やおしゃれを楽しむことができる。
【実施例２】
【００１１】
図６Ａ及び６Ｂは、本考案の他の実施例を示したもので、図中、Ａ′は衣料品であるティーシャツであり、Ｂ１′、Ｂ２′は、このティ−シャツと組み合わせた互換可能な２個の装飾品である竜の落とし子を形取った成型品及びふくろうの形体に似せて造った成型品である。これらの成型品Ｂ１′、Ｂ２′は、合成樹脂ないしゴム質の材料を用いて射出成形機で容易に成形加工することができ、大量生産が可能である。この場合、素材として用いる合成樹脂としては、ティーシャツの撓みに適応し得るような可撓性を有する軟質の熱可塑性合成樹脂、例えばビニール系樹脂が望ましい。
【００１２】
この実施例２においても、ティーシャツＡ′の胸部及び各成型品Ｂ１′、Ｂ２′の裏面側に、図示してないが、前記と同様な雌型スナップ部材及び雄型スナップ部材がスナップ係合手段としてそれぞれ固着されており、後者の雄型スナップ部材を前者の雌型スナップ部材に押圧係止させることにより、互いに外形の異なる前記成型品Ｂ１′又はＢ２′をティーシャツＡ′に確実にかつ着脱交換自在に取り付けることができる。図６Ａは、竜の落とし子を形取ったＢ１′をティーシャツＡ′に取り付けた状態を示すものである。
【実施例３】
【００１３】
図７Ａ、７Ｂは、本考案の別の実施例を示したもので、Ａ″は衣料品である少女用のスカートであり、Ｂ１″、Ｂ２″は、このスカートと組み合わせた互換可能な２個の装飾品である蝶を模して造った模型及び生花状の造花片である。蝶の模型Ｂ１″及び造花片Ｂ２″は、いずれも熱可塑性合成樹脂の成形加工によって造ることができる。蝶模型Ｂ１″及び造花片Ｂ２″は、いずれもその裏面側に前記と同様な雄型スナップ部材（図示してない）が固着されており、該雄型スナップ部材をスカートＡ″の前面適所に固着した前記と同様な雌型スナップ部材（図示してない）に押圧係止させることにより、スカートＡ″に着脱交換自在に取り付けることができるようになっている。図７Ａは、それら２個の装飾品のうち、蝶の模型Ｂ２″をスカートＡ″に取り付けた状態を示すものである。
【００１４】
以上、本考案の実施形態を具体化するものとして、三つの実施例について図面を参照して説明したが、本考案は、それらの実施例に限定されるものではなく、実用新案登録請求の範囲の記載の範囲内においてそれら実施例に各種の改変を施して実施することができるものである。
【００１５】
第１に、衣料品としては、段落番号「０００２」の項で示した物品であればよく、上記各実施例中で示した物品に限定されない。第２に、衣料品に組み合わされる複数の装飾品も互換可能なものであればよく、その外形ないしデザインについても上記各実施例中で示したものに限定されない。例えば、衣料品が手袋や靴下である場合、愛らしい小熊や、パンダ、子犬等を形取った軽くて小さなぬいぐるみ人形を装飾品として用いることができる。また、その数については、少なくとも２個は必要であるが、２個以上、例えば３〜６個であることが望ましい。さらにまた、装飾品は、洗濯可能な品質のものであることを要しない。
【００１６】
上記各実施例では、第１のスナップ係合手段は、中央部に円形の挿し込み穴を有する雌型スナップ部材からなり、第２のスナップ係合手段は、該挿し込み穴にスナップ係合し得る膨大頭部を備えた係合突起を有する雄型スナップ部材からなっているが、衣料品に取り付けられる装飾品が例えば実施例２におけるようにリボンより重い合成樹脂ないしゴム製のものであって、衣料品に取り付けられた後、使用中にその重み等の負荷により回動変位ないし傾斜するおそれがあるような場合には、それを防止するため、前記挿し込み穴を四角形の挿し込み穴に改変するとともに、前記係合突起を該挿し込み穴と回転不能にスナップ係合し得る断面四角形のものに改変するとよい。
【産業上の利用可能性】
【００１７】
本考案に係る組み合わせ衣料品は、上記の如く構成されているので、各装飾品の衣料品への着脱が容易であり、しかも該衣料品そのものの交換は全く必要とすることなく、随時、手軽に装飾品を付け替えてそのデザインの変化やおしゃれを楽しむことができるとともに、各装飾品を容易に洗濯することが不可能な材料を含む各種の材料の中から選ばれた適当な材料で作ることができるため、その設計の自由度を大幅に増大させることができる。
【図面の簡単な説明】
【００１８】
【図１】本考案の一実施例としての組み合わせ衣料品における衣料品としての少女用ワン・ピースの正面図である。
【図２】上記ワン・ピースと組み合わせた装飾品である２個の蝶結び目を有するリボンと２個の造花片の正面図である。
【図３】前記リボンを前記ワン・ピースに取り付ける態様を図解した、リボンの裏面側及びワン・ピースの表面側一部分を示す拡大斜視図である。
【図４】前記リボン２個を前記ワン・ピースに取り付けた状態を示す正面図である。
【図５】前記造花片を前記ワン・ピースに取り付けた状態を示す正面図である。
【図６Ａ】装飾片である竜の落とし子を形取った成型品を衣料品であるティーシャツに取り付けた状態を示す正面図である。
【図６Ｂ】上記ティーシャツに組み合わせた上記成型品及びふくろうの形体に似せて造った成型品の正面図である。
【図７Ａ】装飾品である蝶の模型を衣料品である少女用スカートに取り付けた状態を示す正面図である。
【図７Ｂ】上記スカートに組み合わせた上記蝶模型及び造花片の正面図である。
【符号の説明】
【００１９】
Ａ、Ａ′、Ａ″        衣料品
Ｂ１、Ｂ２、Ｂ１′、Ｂ２′、Ｂ１″、Ｂ２″        装飾品
Ｃ１            第１のスナップ係合部材
Ｃ２            第２のスナップ係合部材
１０            挿し込み穴
１１            係合突起
【図１】
0003117244.tif 000003
【図２】
0003117244.tif 000004
【図３】
0003117244.tif 000005
【図４】
0003117244.tif 000006
【図５】
0003117244.tif 000007
【図６Ａ】
0003117244.tif 000008
【図６Ｂ】
0003117244.tif 000009
【図７Ａ】
0003117244.tif 000010
【図７Ｂ】
0003117244.tif 000011